(57)【特許請求の範囲】
【請求項１】
クランクシャフトのクランクピンに回転可能に取り付けられるロアーリンクと、
一端がピストンピンを介してピストンと回転可能に連結されるとともに、他端が連結ピンを介してロアーリンクと回転可能に連結されるアッパーリンクと、
を有する複リンク式ピストン−クランク機構の潤滑構造において、
上記ピストンへ潤滑油を噴射するオイルジェットを有し、
上記ピストン及び上記アッパーリンクに形成され、上記オイルジェットにより上記ピストンへ噴射された潤滑油を、上記連結ピンへ供給する給油通路を有し、
上記アッパーリンクは、上記ピストンピンが挿通する小径部と、上記連結ピンが挿通する大径部と、上記小径部と大径部とを接続するロッド部と、を有し、
上記給油通路は、上記アッパーリンクの内部に形成されるリンク側通路を有し、
このリンク側通路は、
上記ピストンピンが挿通する小径部の内周面に凹設され、周方向に延在するリンク側周方向溝と、上記小径部の内部をピストンピン径方向に延び、一端が上記リンク側周方向溝に連通し、他端が上記小径部の外周面に開口するリンク側入口通路と、上記ロッド部の内部に形成され、一端が上記リンク側周方向溝に連通し、他端が上記連結ピンが挿通する大径部の内周面に開口するロッド内通路と、を有していることを特徴とする複リンク式ピストン−クランク機構の潤滑構造。
【請求項２】
上記給油通路は、上記ピストンの内部に形成されるピストン側通路を有し、
このピストン側通路は、上記ピストンの外周部に沿って環状に形成されたピストン側周方向通路と、このピストン側周方向通路を径方向に横断し、両端でピストン側周方向通路と連通するピストン側径方向通路と、を有し、
上記ピストン側周方向通路には、上記オイルジェットの噴射口と対向する位置に、上記オイルジェットから噴射された潤滑油を導入するピストン側入口通路が形成され、
上記ピストン側径方向通路には、上記アッパーリンクと対向する位置に、上記アッパーリンク側へ潤滑油を供給するピストン側出口通路が形成されていることを特徴とする請求項１に記載の複リンク式ピストン−クランク機構の潤滑構造。
【請求項３】
上記複リンク式ピストン−クランク機構が、一端が上記ロアーリンクに連結される制御リンクと、この制御リンクの他端の支持位置を変更して、ピストン上死点位置及びピストン下死点位置の変化させることで、機関圧縮比を変更可能な可変圧縮比アクチュエータと、を有し、
上記ピストン側径方向通路は、上記ピストン側周方向通路に対し、ピストン上死点方向へオフセットして配置され、
ピストン下死点位置が低い低圧縮比時には、ピストン下死点位置が高い高圧縮比時に比して、上記オイルジェットの噴射口が上記ピストン側径方向通路に近づくように構成されていることを特徴とする請求項２に記載の複リンク式ピストン−クランク機構の潤滑構造。
【請求項４】
上記ピストン下死点位置が高い高圧縮比時には、主に上記ピストン側周方向通路に潤滑油が供給されるように、ピストン下死点時に上記オイルジェットの噴射口が上記ピストン側径方向通路よりも低い位置となり、
上記ピストン下死点位置が低い低圧縮比時には、主に上記ピストン側径方向通路に潤滑油が供給されるように、ピストン下死点時に上記オイルジェットの噴射口が上記ピストン側径方向通路の高さに入り込むように構成されていることを特徴とする請求項３に記載の複リンク式ピストン−クランク機構の潤滑構造。
【請求項５】
上記リンク側入口通路は、内周側から外周側へ向かって徐々に拡径するテーパ面を有することを特徴とする請求項１〜４のいずれかに記載の複リンク式ピストン−クランク機構の潤滑構造。
【発明の詳細な説明】
【技術分野】
【０００１】
本発明は、複リンク式ピストン−クランク機構の潤滑構造に関する。
【背景技術】
【０００２】
内燃機関の機関圧縮比を変更可能なデバイスとして、特許文献１等に開示されているように、複リンク式ピストン−クランク機構を利用した可変圧縮比機構が知られている。この可変圧縮比機構は、クランクシャフトのクランクピンに回転可能に取り付けられるロアーリンクと、このロアーリンクとピストンとを連結するアッパーリンクと、を有し、ロアーリンクに一端が連結される制御リンクの他端の支持位置を変化させることで、ピストン上死点位置及び下死点位置の変化を伴って機関圧縮比を変更可能である。
【先行技術文献】
【特許文献】
【０００３】
【特許文献１】特開２００４−１１６４３４号公報
【発明の概要】
【発明が解決しようとする課題】
【０００４】
アッパーリンクとロアーリンクとは、両者を挿通する連結ピンにより回転可能に連結されており、この軸受部分の潤滑は、従来、シリンダブロック内に浮遊あるいは滴下する潤滑油により行なう、いわゆる空中給油となっていた。
【０００５】
しかしながら、アッパーリンクとロアーリンクとを連結する連結ピンの軸受部分には、機関運転中に燃焼荷重や慣性荷重が繰り返し作用することから、上述したような空中給油では軸受部分の油膜形成が困難であり、十分な潤滑性能を確保することが困難であった。
【０００６】
本発明は、このような事情に鑑みてなされたものであり、複リンク式ピストン−クランク機構におけるアッパーリンクとロアーリンクとを連結する連結ピンの軸受部分の潤滑性能を大幅に改善することを目的としている。
【課題を解決するための手段】
【０００７】
本発明に係る複リンク式ピストン−クランク機構は、クランクシャフトに回転可能に取り付けられるロアーリンクと、一端がピストンピンを介してピストンと回転可能に連結されるとともに、他端が連結ピンを介してロアーリンクと回転可能に連結されるアッパーリンクと、を有している。そして、オイルジェットにより上記ピストンへ噴射された潤滑油を上記連結ピンへ直接的に供給する給油通路を上記ピストン及び上記アッパーリンクに形成したことを特徴としている。上記アッパーリンクは、上記ピストンピンが挿通する小径部と、上記連結ピンが挿通する大径部と、上記小径部と大径部とを接続するロッド部と、を有している。上記給油通路は、上記アッパーリンクの内部に形成されるリンク側通路を有している。このリンク側通路は、上記ピストンピンが挿通する小径部の内周面に凹設され、周方向に延在するリンク側周方向溝と、上記小径部の内部をピストンピン径方向に延び、一端が上記リンク側周方向溝に連通し、他端が上記小径部の外周面に開口するリンク側入口通路と、上記ロッド部の内部に形成され、一端が上記リンク側周方向溝に連通し、他端が上記連結ピンが挿通する大径部の内周面に開口するロッド内通路と、を有している。
【発明の効果】
【０００８】
本発明によれば、オイルジェットによりピストンへ噴射された潤滑油を、ピストン及びアッパーリンクに形成された給油通路を経由して、アッパーリンクとロアーリンクとを回転可能に連結する連結ピンへ直接的に供給することができるために、上述した空中給油に比して、連結ピンの軸受部分の潤滑性能を格段に向上することができる。
【図面の簡単な説明】
【０００９】
【図１】本発明の一実施例に係る複リンク式ピストン−クランク機構を利用した可変圧縮比機構を示すピストン上死点時の断面図。
【図２】同じく可変圧縮比機構を示すピストン下死点時の断面図。
【図３】ピストン側通路を透視して示す斜視図。
【図４】上記ピストン側通路とオイルジェットの噴射ノズルとを透視して示す斜視図。
【図５】（Ａ）が高圧縮比時、（Ｂ）が低圧縮比時におけるピストン下死点近傍でのピストン側通路とオイルジェットの噴射ノズルとを透視して示す斜視図。
【図６】ピストン側通路を透視して示す下面図。
【図７】ピストンの断面図。
【図８】アッパーリンクの内部に形成されたリンク側通路を透視して示す斜視図。
【図９】同じくアッパーリンクの内部に形成されたリンク側通路を透視して示す要部斜視図。
【発明を実施するための形態】
【００１０】
以下、図示実施例により本発明を説明する。先ず図１及び図２を参照して、複リンク式ピストン−クランク機構を利用した可変圧縮比機構１０について説明する。なお、図１はピストン上死点位置、図２はピストン下死点位置における可変圧縮比機構１０の断面図を示している。
【００１１】
この可変圧縮比機構１０は、内燃機関のクランクシャフト１１のクランクピン１１Ａに回転可能に取り付けられるロアーリンク１２と、ピストン１３とロアーリンク１２とを連結するアッパーリンク１４と、ロアーリンク１２に一端が回転可能に取り付けられる制御リンク１５と、を有している。ピストン１３とアッパーリンク１４とは、両者を挿通するピストンピン１６により回転可能に連結され、アッパーリンク１４とロアーリンク１２とは、両者を挿通する連結ピン１７により回転可能に連結され、制御リンク１５とロアーリンク１２とは、両者を挿通する制御ピン１８により回転可能に連結されている。ロアーリンク１２の両端は、アッパーリンク１４の一端、あるいは制御リンク１５の一端を両側から挟み込む二股状をなしている。ロアーリンク１２の両端には、連結ピン１７あるいは制御ピン１８が圧入固定されるピン穴がそれぞれに形成され、アッパーリンク１４の一端部に連結ピン１７が、そして制御リンク１５の一端部に制御ピン１８が回転可能に挿入されている。
【００１２】
上記のピストン１３はシリンダブロック１９のシリンダ２０に昇降可能に配設されている。また、シリンダブロック１９には、クランクシャフト１１と平行に制御軸２１が回転可能に支持されている。この制御軸２１には、回転中心から偏心した偏心軸部２１Ａが設けられており、この偏心軸部２１Ａに、上記のロアーリンク１２の他端が回転可能に取り付けられている。
【００１３】
図示せぬモータ等の可変圧縮比アクチュエータにより制御軸２１の回転位置を変更することによって、制御リンク１５によるロアーリンク１２の拘束条件が変化して、ピストン１３の上死点位置及び下死点位置の変化を伴って、機関圧縮比が変化する。従って、図示せぬ制御部により可変圧縮比アクチュエータの動作を制御することにより、機関運転状態に応じて機関圧縮比を制御することができる。
【００１４】
シリンダブロック１９には、シリンダ２０の下端部の近傍に、オイルジェット２２が設けられている。このオイルジェット２２は、シリンダブロック１９の内部に形成された潤滑油通路であるメインギャラリ２３から供給される潤滑油を、ピストン１３の冠面の裏面側へ向けて噴射供給することで、ピストン１３の冷却を行なうもので、機関回転数が約２０００ｒｐｍ以上であれば内蔵された弁が開弁して潤滑油を常時噴射するように構成されている。このオイルジェット２２の噴射ノズル２４は、ピストン１３のスカート部１３Ａと干渉することのないように、オイルジェット本体から側方へ延びてから上方へ延びる形状となっている。
【００１５】
次に、図３〜図９を参照して、本実施例の要部をなす連結ピン１７の軸受部分の潤滑構造について説明する。本実施例では、オイルジェット２２によりピストン１３の裏面側へ噴射された潤滑油を、連結ピン１７の軸受部分へ直接的に供給する給油通路３０を、ピストン１３及びアッパーリンク１４の内部に形成している。この給油通路３０は、図３〜図７に示すようにピストン１３の内部に形成されたピストン側通路３１と、図８及び図９に示すようにアッパーリンク１４の内部に形成されたリンク側通路３２と、により構成されており、オイルジェット２２より噴射された潤滑油は、先ずピストン側通路３１へ供給され、このピストン側通路３１からリンク側通路３２を経て連結ピン１７の軸受部分へ供給される。
【００１６】
先ず、図３〜図７を参照して、ピストン側通路３１について詳細に説明する。ピストン側通路３１は、ピストン１３を冷却するための、いわゆるクーリングチャンネルと呼ばれるものである。このピストン側通路３１は、ピストン１３の冠面近傍の外周部分に沿って全周にわたって形成された環状のピストン側周方向通路３３と、このピストン側周方向通路３３を径方向に横断し、両端でピストン側周方向通路３３と接続・連通するピストン側径方向通路３４と、を有している。
【００１７】
ピストン側周方向通路３３には、オイルジェット２２の噴射ノズル２４の先端の噴射口２５と対向する位置に、オイルジェット２２から噴射された潤滑油を導入するピストン側入口通路３５が形成されている。このピストン側入口通路３５は、ピストン昇降方向（シリンダ軸方向）に延び、上端でピストン側周方向通路３３に連通し、下端でピストン１３の下面側に開口している。また、このピストン側入口通路３５と径方向で反対側の位置に、ピストン側補助出口通路３６が形成されている。このピストン側補助出口通路３６もまた、ピストン昇降方向（シリンダ軸方向）に延び、上端でピストン側周方向通路３３に連通し、下端でピストン１３の下面側に開口している。
【００１８】
また、ピストン側径方向通路３４には、アッパーリンク１４と対向する位置に、アッパーリンク側へ潤滑油を供給するピストン側出口通路３７が形成されている。図７にも示すように、このピストン側出口通路３７は、ピストン昇降方向（シリンダ軸方向）に延び、上端でピストン側径方向通路３４に連通し、下端でピストン１３の下面側に開口している。なお、図３ではピストン側入口通路３５、ピストン側補助出口通路３６及びピストン側出口通路３７を図示省略している。図４ではピストン側補助出口通路３６及びピストン側出口通路３７を図示省略している。
【００１９】
ピストン側径方向通路３４は、ピストン側周方向通路３３に対し、ピストン上死点方向（図５の上方向）へオフセットして配置されている。詳しくは、図５にも示すように、ピストン側径方向通路３４は、ピストン側周方向通路３３と接続する両端の接続部３８で、ピストン下方に湾曲しつつピストン側周方向通路３３に接続・連通している。
【００２０】
また、ピストン側出口通路３７は、ピストン側周方向通路３３とピストン側径方向通路３４とが交差する位置に設けられ、つまり接続部３８とピストン上下方向にほぼ同一線上に配置されている。
【００２１】
そして、ピストン下死点位置が低い低圧縮比時には、ピストン下死点位置が高い高圧縮比時に比して、オイルジェット２２の噴射口２５の先端がピストン側径方向通路３４に近づくように構成されている。より具体的には、ピストン下死点位置が高い高圧縮比時には、図５（Ａ）に示すように、主にピストン側周方向通路３３に潤滑油が供給されるように、ピストン下死点時にオイルジェット２２の噴射口の先端がピストン側径方向通路３４よりも低い位置となり、一方、ピストン下死点位置が低い低圧縮比時には、図５（Ｂ）に示すように、主にピストン側径方向通路３４に潤滑油が供給されるように、ピストン下死点時にオイルジェット２２の噴射口２５の先端がピストン側径方向通路３４の高さまで入り込むように構成されている。
【００２２】
次に、図８及び図９を参照して、アッパーリンク１４の内部に形成されるリンク側通路３２について詳細に説明する。アッパーリンク１４は、ピストンピン１６（図１，図２参照）が挿通する小径部１４Ａと、この小径部１４Ａよりも大径で、連結ピン１７が挿通する大径部１４Ｂと、小径部１４Ａと大径部１４Ｂとを接続する棒状のロッド部１４Ｃと、を有し、これらが一体的に形成された金属部品である。すなわち、大径部１４Ｂの内周面によって連結ピン１７の軸受が構成される。
【００２３】
そして、リンク側通路３２は、ピストンピン１６が挿通する小径部１４Ａの内周面に凹設され、周方向の全周にわたって延在するリンク側周方向溝４１と、小径部１４Ａの内部をピストンピン径方向に延び、一端がリンク側周方向溝４１に連通し、他端が小径部１４Ａの外周面に開口するリンク側入口通路４２と、ロッド部１４Ｃの内部に形成され、一端がリンク側周方向溝４１に連通し、他端が連結ピン１７が挿通する大径部１４Ｂの内周面に開口するロッド内通路４３と、を有している。
【００２４】
リンク側入口通路４２は、小径部１４Ａにおけるロッド部１４Ｃと反対側の頂部、つまりピストン下死点近傍でピストン１３の下面側に対向する位置に設けられている。このリンク側入口通路４２は、内周側から外周側へ向かって徐々に拡径するテーパ面を有する形状となっている。
【００２５】
オイルジェット２２から噴射された潤滑油は、主にピストン下死点近傍でピストン側入口通路３５よりピストン側通路３１に導入され、ピストン側周方向通路３３及びピストン側径方向通路３４を通過する際にピストン１３と熱交換を行ない、ピストン側出口通路３７及びピストン側補助出口通路３６より排出される。
【００２６】
ピストン側出口通路３７より排出された潤滑油は、その直ぐ下方に位置するアッパーリンク１４のリンク側入口通路４２よりリンク側通路３２内に導入され、リンク側周方向溝４１及びロッド内通路４３を経由して、連結ピン１７の軸受部分へ直接的に供給される。また、リンク側周方向溝４１内を通流する潤滑油により、ピストンピン１６の軸受部分の潤滑が行なわれる。
【００２７】
オイルジェット２２からピストン側入口通路３５へ潤滑油が導入される部分と、ピストン側出口通路３７からリンク側入口通路４２へ潤滑油が導入される部分とは、潤滑油が空中を通過するものの、その区間はわずかであり、実質的にはオイルジェット２２から噴射された潤滑油が連結ピン１７の軸受部分へ給油通路３０を通して直接的に供給される構成となっている。
【００２８】
このような本実施例の潤滑構造における特徴的な構成及び作用効果について以下に列記する。
【００２９】
［１］オイルジェット２２によりピストン１３の裏面側へ噴射された潤滑油を、連結ピン１７の軸受部分へ供給する給油通路３０を、ピストン１３及びアッパーリンク１４の内部に形成している。従って、連結ピン１７の軸受部分へ十分な量の潤滑油を安定して確実に供給することができ、上述した空中給油に比して潤滑性能を大幅に改善することができる。
【００３０】
また、既存のピストン１３，アッパーリンク１４及びオイルジェット２２を利用しているために、部品点数の増加を招くことが無い。
【００３１】
更に、ピストン１３及びアッパーリンク１４の内部に形成される給油通路３０から連結ピン１７の軸受部分へ直接的に潤滑油を供給しているために、連結ピン１７の軸受部分に外部から潤滑油を導入するための溝や油孔等をロアーリンク側に形成する必要がなく、軸受面圧の低下や強度の低下を招くことがない。
【００３２】
また、複リンク式ピストン−クランク機構では、図２に示すピストン下死点付近で、アッパーリンク１４がほぼシリンダ軸方向に沿う姿勢に維持されるために、オイルジェット２２から給油通路３０への潤滑油の供給を容易に行なうことができる。
【００３３】
［２］給油通路３０は、ピストン１３の内部に形成されるピストン側通路３１を有し、このピストン側通路３１は、ピストン１３の外周部に沿って環状に形成されたピストン側周方向通路３３と、このピストン側周方向通路３３を径方向に横断し、両端でピストン側周方向通路３３と連通するピストン側径方向通路３４と、を有している。ピストン側周方向通路３３には、オイルジェット２２の噴射口２５と対向する位置に、オイルジェット２２から噴射された潤滑油を導入するピストン側入口通路３５が形成され、ピストン側径方向通路３４には、アッパーリンク１４と対向する位置に、アッパーリンク１４側へ潤滑油を供給するピストン側出口通路３７が形成されている。
【００３４】
このように、ピストン１３では、主にピストン冷却用のクーリングチャンネルとして用いられるピストン側周方向通路３３をピストン側通路３１の一部として利用しているために、構成の簡素化が図られている。また、ピストン側周方向通路３３を横断するピストン側径方向通路３４を設けることで、アッパーリンク１４側に潤滑油をほぼ直接的に供給することが可能となるとともに、高温となり易いピストン１３の中央部の冷却性能を向上することができる。
【００３５】
［３］ピストン側径方向通路３４は、ピストン側周方向通路３３に対し、ピストン上死点方向（図３〜図６の上方向）へオフセットして配置され、ピストン側入口通路３５は、ピストン側周方向通路３３とピストン側径方向通路３４とが交差する位置に設けられている。そして、主に高回転高負荷域で用いられる低圧縮比時には、主に低回転低負荷域で用いられる高圧縮比時に比して、ピストン下死点位置が低くなって、オイルジェット２２の噴射口２５がピストン側径方向通路３４に近づくように構成されている。
【００３６】
従って、高回転高負荷域で用いられる低圧縮比時には、低回転低負荷域で用いられる高圧縮比時に比して、ピストン側径方向通路３４に供給される潤滑油の割合が増し、アッパーリンク１４側へ潤滑油が積極的に供給されることから、高回転高負荷域における連結ピン１７の軸受部分の潤滑性能を向上することができる。
【００３７】
［４］より詳しくは、図５（Ａ）に示すようにピストン下死点位置が高い高圧縮比時には、主にピストン側周方向通路３３に潤滑油が供給されるように、ピストン下死点時にオイルジェット２２の噴射口２５がピストン側径方向通路３４よりも低い位置となり、一方、図５（Ｂ）に示すようにピストン下死点位置が低い低圧縮比時には、主にピストン側径方向通路３４に潤滑油が供給されるように、ピストン下死点時にオイルジェット２２の噴射口の先端がピストン側径方向通路３４の高さまで入り込むように構成されている。従って、低回転低負荷域で用いられる高圧縮比時には、比較的多くの潤滑油がピストン側周方向通路３３へ導入される一方、高回転高負荷域で用いられる低圧縮比時には、オイルジェット２２がピストン側径方向通路３４まで入り込んでいるために、より多くの潤滑油をピストン側径方向通路３４へ導入することができる。
【００３８】
［５］アッパーリンク１４は、ピストンピン１６が挿通する小径部１４Ａと、連結ピン１７が挿通する大径部１４Ｂと、小径部１４Ａと大径部１４Ｂとを接続するロッド部１４Ｃと、を有し、給油通路３０は、アッパーリンク１４の内部に形成されるリンク側通路３２を有している。そして、このリンク側通路３２は、ピストンピン１６が挿通する小径部１４Ａの内周面に凹設され、周方向に延在するリンク側周方向溝４１と、小径部１４Ａの内部をピストンピン径方向に延び、一端がリンク側周方向溝４１に連通し、他端が小径部の外周面に開口するリンク側入口通路４２と、ロッド部１４Ｃの内部に形成され、ロッド部１４Ｃの一端がリンク側周方向溝４１に連通し、他端が連結ピン１７が挿通する大径部１４Ｂの内周面に開口するロッド内通路４３と、を有している。
【００３９】
このようなリンク側通路３２をアッパーリンク１４の内部に形成することで、ロアーリンク側に油孔や油溝を設けることなく、連結ピン１７の軸受部分へ潤滑油を直接的に供給することが可能となる。
【００４０】
［６］リンク側入口通路４２は、図９にも示すように、内周側から外周側へ向かって徐々に拡径するテーパ面４４を有する構造となっている。このようなテーパ面４４を設けることで、アッパーリンク１４が多少傾いても、ピストン側より排出された潤滑油をリンク側入口通路４２で受け止めてリンク側通路３２内へ導入することができる。
【００４１】
以上のように本実施例を具体的な実施例に基づいて説明してきたが、本発明は上記実施例に限定されるものではなく、種々の変形・変更を含むものである。例えば、上記のピストン側補助出口通路３６は省略することも可能である。
【符号の説明】
【００４２】
１０…可変圧縮比機構（複リンク式ピストン−クランク機構）
１２…ロアーリンク
１４…アッパーリンク
１４Ａ…小径部
１４Ｂ…大径部
１４Ｃ…ロッド部
１５…制御リンク
１７…連結ピン
２２…オイルジェット
２５…噴射口
３０…給油通路
３１…ピストン側通路
３２…リンク側通路
３３…ピストン側周方向通路
３４…ピストン側径方向通路
３５…ピストン側入口通路
３７…ピストン側出口通路
４１…リンク側周方向溝
４２…リンク側入口通路
４３…ロッド内通路
４４…テーパ面
【図１】
0006477387.tif 000002
【図２】
0006477387.tif 000003
【図３】
0006477387.tif 000004
【図４】
0006477387.tif 000005
【図５】
0006477387.tif 000006
【図６】
0006477387.tif 000007
【図７】
0006477387.tif 000008
【図８】
0006477387.tif 000009
【図９】
0006477387.tif 000010